(57)【要約】      （修正有）【課題】効率的に光を光センサの受光部へ受光することが可能であり、小型で尚且つ、表面実装型の光センサを提供する。【解決手段】光センサにおいて、ベース基板２は、光透過性を有する透明体で形成されるとともに、下面２ｂの露出する部分に形成される光入射部と前記ベース基板２の上面２ａの露出する部分に形成される光出射部とで構成される光透過部を有し、リッド基板３は、前記光透過部からの入射光を反射する金属で形成されるとともに前記リッド基板３の凹部の内面を覆う反射膜４０で構成される反射部を有し、前記反射部の反射面の表面粗さは、前記凹部の内面３ａより表面粗さより小さいことを特徴とする。【選択図】図２
2015173166.tif 000002
【特許請求の範囲】
【請求項１】
ベース基板と、
キャビティ用の凹部が形成され、該凹部を前記ベース基板に対向させて該ベース基板に接合されたリッド基板と、
前記ベース基板と前記リッド基板との間に形成された前記キャビティ内に収納され、前記ベース基板の上面に設置され、光を受光する受光素子と、
前記ベース基板の下面に形成された外部電極と、
前記ベース基板の上面に形成され、接合された前記受光素子及び前記外部電極と電気的に接続する内部電極と、を備え、
前記ベース基板は、光透過性を有する透明体で形成される光透過部を有し、
前記光透過部は、前記ベース基板の下面の露出する部分に形成される光入射部と前記ベース基板の上面の露出する部分に形成される光出射部とで構成され、
前記リッド基板は、前記凹部の内面を覆う反射膜で構成される反射部を有し、
前記反射部は、前記光透過部からの入射光を反射する金属で形成され、
前記反射部の反射面の表面粗さは、前記凹部の内面の表面粗さより小さいことを特徴とする光センサ。
【請求項２】
前記光透過部は、ガラスで形成されることを特徴とする請求項１に記載の光センサ。
【請求項３】
前記反射部は、前記ベース基板の上面の前記光透過部に対して傾斜する傾斜部を有し、
前記傾斜部は、前記凹部の開口端部に向かって広くなる方向に傾斜することを特徴とする請求項１に記載の光センサ。
【請求項４】
前記傾斜部は、前記凹部の開口端部から前記光センサに対向する位置まで傾斜することを特徴とする請求項３に記載の光センサ。
【請求項５】
前記傾斜部は、曲面で構成されることを特徴とする請求項３に記載の光センサ。
【請求項６】
前記反射部は、前記凹部の内面全面に形成されることを特徴とする請求項１から５のいずれか一項に記載の光センサ。
【発明の詳細な説明】
【技術分野】
【０００１】
本発明は、光の受光により情報を取得する光センサに関する。
【背景技術】
【０００２】
近年、光センサは、広く一般的なものとして、自動ドア、ＡＴＭ（現金自動預け払い機）での紙幣の有無の検知や偽札の判別、さらには、自動販売機、駅の自動改札など様々な数多くの用途に使用されている。その中で、小型で尚且つ、表面実装（ＳＭＤ）型の要求も高まっている。
光を透過する材料として透明体であるガラス材を使用した表面実装型パッケージが考えられる（特許文献１）。
【０００３】
図６にこのパッケージ構造の断面図を示す。図６（ａ）に示す通り、このガラス材を使用したパッケージは、ベース基板２に形成された貫通孔に金属ピンを溶着させることで、貫通電極３２を形成する方法が開発されている。この方法では、まずカーボン等からなる貫通孔形成用型でベース基板２を押圧しつつ、加熱することで、金属ピンを挿通させるための貫通孔を形成する（１次成形）。その後、貫通孔内に金属ピンを挿通させた状態で、ベース基板２及び金属ピンをカーボン等からなる溶着型内にセットし、押圧しつつ加熱する（２次成形）。これにより、ベース基板２が溶着型内で流動して金属ピンと貫通孔との隙間を塞ぐとともに、ベース基板が金属ピンに溶着するようになっている。
また、電子デバイスが格納される凹部が形成されるリッド基板３も同様にカーボンを主成分とする材料等からなる凹部形成用型（成形型）で押圧しつつ加熱して行う。
【先行技術文献】
【特許文献】
【０００４】
【特許文献１】特開２０１１−１８２３４３号公報
【発明の概要】
【発明が解決しようとする課題】
【０００５】
ところで、リッド基板に凹部を形成する成形型は、カーボンを焼き固めた（焼結体）であるため、最大で１０μｍ程度の表面粗さが生じてしまう。このため、リッド基板側の成形型で押圧された凹部面もカーボン型の表面形状が転写されるために最大で１０μｍ程度の表面粗さが発生してしまう。
【０００６】
図６（ａ）、図６（ｂ）に示すように、このパッケージを使用した光センサの場合、パッケージのリッド基板３の上部からの入射光Ｌ１は、パッケージの蓋体であるリッド基板３の凹部内面３ａの表面粗さにより、散乱してＬ２のような光路（散乱光）となる。そのため、受光素子２８は受光し難くなり、強度の高い、すなわちＳ／Ｎ比の高い信号を得ることができない。
【０００７】
そこで本発明は、Ｓ／Ｎ比の高い信号を得ることができる光センサを提供する。
【課題を解決するための手段】
【０００８】
上述した課題を解決するために、本発明は以下の手段を提供する。
本発明に係る光センサは、ベース基板と、キャビティ用の凹部が形成され、該凹部を前記ベース基板に対向させた状態で該ベース基板に接合されたリッド基板と、前記ベース基板と前記リッド基板との間に形成されたキャビティ内に収納された状態で、前記ベース基板の上面に設置され、光を受光する受光素子と、前記ベース基板の下面に形成された一対の外部電極と、前記ベース基板の上面に形成され、接合された前記受光素子及び前記外部電極と電気的に接続する内部電極と、を備え、前記ベース基板は、光透過性を有する透明体で形成されるとともに、下面の露出する部分に形成される光入射部と前記ベース基板の上面の露出する部分に形成される光出射部とで構成される光透過部を有し、前記リッド基板は、前記光透過部からの入射光を反射する金属で形成されるとともに前記凹部の内面を覆う反射膜で構成される反射部を有し、前記反射部の反射面の表面粗さは、前記凹部の内面の表面粗さより小さいことを特徴としている。
また、前記ベース基板は、ガラスで形成されてもよい。
【０００９】
また、前記反射部は、前記ベース基板の上面の前記光透過部に対して傾斜する傾斜部を有し、記傾斜部は、前記凹部の開口端部に向かって広くなる方向に傾斜してもよい。
また、前記傾斜部は、前記凹部の開口端部から前記光センサに対向する位置まで傾斜してもよい。
また、前記傾斜部は、曲面で構成されてもよい。
また、前記反射部は、前記凹部の内面全面に形成されてもよい。
【発明の効果】
【００１０】
本発明に係る光センサによれば、効率的に入射光を受光素子の受光部へ受光することが可能となるとともに、小型で尚且つ、表面実装型の光センサを提供することが可能となる。
【図面の簡単な説明】
【００１１】
【図１】実施形態に係る光センサの外観斜視図である。
【図２】本発明の実施形態である光センサの一例の断面図である。
【図３】本発明の実施形態である光センサの一例の断面図である。
【図４】本発明の実施形態である光センサの一例の断面図である。
【図５】実施形態に係る光センサの製造方法を示すフローチャートである。
【図６】従来のパッケージ構造の断面図である。
【発明を実施するための形態】
【００１２】
以下、図面に基づいて、本発明の実施形態を説明する。
図１は本実施形態における光センサの外観斜視図である。図２は本発明の実施形態である光センサの一例の断面図である。
【００１３】
図１に示す通り、光センサ１は、ベース基板２と、ベース基板２に接合膜３５を介して接合されたリッド基板３と、リッド基板３の下面に形成された外部電極３８、３９とで構成される。
【００１４】
また、図２（ａ）に示す通り、光センサ１において、リッド基板３には、キャビティ用の凹部３ａが形成されている。また、リッド基板３は、凹部３ａをベース基板２に対向させた状態でベース基板２に接合する。
【００１５】
また、ベース基板２とリッド基板３との間に形成されたキャビティＣ内に収納された状態で、ベース基板２の上面２ａに設置され、光を受光する受光素子２８と、ベース基板２の下面２ｂに形成された外部電極３８、３９と、ベース基板２の上面２ａに形成され、接合された受光素子２８及び外部電極３８、３９と電気的に接続する内部電極３６，３７と、を備える。
【００１６】
また、ベース基板２は、光透過性を有する透明体で形成されるとともに、ベース基板２の下面２ｂの露出する部分に形成される光入射部と上面２ａの露出する部分に形成される光出射部とで構成される光透過部を有する。なお、透明体は、可視光や紫外光を透過するものである。
【００１７】
また、リッド基板３は、光透過部からの入射光を反射する金属で形成されるとともに凹部の内面を覆う反射膜４０で構成される反射部を有する。
また、反射部の反射面の表面粗さは、凹部３ａの内面より表面粗さより小さい。
【００１８】
ベース基板２は、ガラス材料、例えばソーダ石灰ガラスからなる基板であり、リッド基板３と同等の外形で略板状に形成されている。ベース基板をガラスからなる基板で構成することにより、ベース基板から光を入射することができる。なお、ベース基板２は、光透過性を有する透明体であればよく、透明樹脂などでもよい。これにより、入射する光が可視光の場合、ベース基板２自体により光を入射することができる。また、ベース基板全体を同一材料で形成するため、ベース基板の製造が容易になる。
【００１９】
また、このベース基板２には、ベース基板２を厚さ方向に貫通する、一対の貫通電極３２，３３が形成されている。貫通電極３２，３３は、ベース基板２との溶着によって固定されており、キャビティＣ内の気密を維持している。貫通電極３２，３３は、例えば、コバールやＦｅ−Ｎｉ合金（４２アロイ）等の、熱膨張係数がベース基板２のガラス材料と近い（好ましくは同等か高め）材料により円柱状に形成された導電性の金属芯材で、両端が平坦で且つベース基板２の厚さと同じ厚さである。
【００２０】
ベース基板２の上面２ａ側（リッド基板３との接合面側）には、一対の内部電極３６，３７が形成されている。各内部電極３６，３７は、例えば下層のＣｒ膜及び上層のＡｕ膜の積層体によって形成されている。
【００２１】
ベース基板２の下面２ｂ側（リッド基板３との接合面と反対側）には、一対の外部電極３８、３９が形成されている。各外部電極３８、３９は、各内部電極３６、３７と、各貫通電極３２、３３を介して電気的に接続する。
【００２２】
すなわち、ベース基板は、光透過部と、受光素子を形成する素子形成部と、リッド基板と接合する接合部、内部電極、外部電極及び貫通電極を形成する電極形成部で構成される。
【００２３】
なお、外部電極３８、３９と内部電極３６、３７とは、必ずしも貫通電極３２、３３で導通する必要はなく、例えば各基板の接合面の間に引き出し電極を形成して、各電極間を導通してもよい。なお、各電極は、素子の電極数に応じて変更することができる。
【００２４】
リッド基板３は、ガラス材料、例えばソーダ石灰ガラスからなる陽極接合可能な基板であり、略板状に形成されている。リッド基板３をベース基板２と同様のガラス材料で構成すれば、両基板は、同様の熱膨張係数を有するため、接合時の加熱等により反りが発生しない。これにより、歩留まりを向上できる。
【００２５】
さらに、ベース基板をガラスで形成した場合、光透過性を有しつつ、内部電極から外部電極への配線も容易である。また、上記の構成の場合、各基板の接合も容易に行うことができる。また、リッド基板３におけるベース基板２との接合面側には、受光素子２８を収容するキャビティＣが形成されている。
【００２６】
なお、リッド基板３は、受光素子２８を収容できる材料であればよく、シリコン等でも形成することができる。また、リッド基板３は、接合方法によっては、陽極接合可能である必要もなく金属、セラミック等で形成されてもよい。
【００２７】
リッド基板３におけるベース基板２との接合面側の全体に、陽極接合用の接合膜３５が形成されている。すなわち接合膜３５は、キャビティＣの凹部表面３ａの周囲の額縁領域に形成されている。本実施形態の接合膜３５はアルミ膜で形成されているが、接合膜３５をシリコンで形成することも可能である。後述するように、この接合膜３５とベース基板２とが陽極接合されることにより、キャビティＣが真空封止されている。
なお、リッド基板３とベース基板２とは、必ずしも陽極接合で接合する必要はなく、例えば、接着剤や溶接部材を用いて接合してもよい。
【００２８】
内部電極３６，３７の表面に、金ワイヤー１０，１１を介して、受光素子２８の電極が接続されている。受光素子２８は、ベース基板２の上面に塗布された導電性接着剤を介して設置されている。また、受光素子２８の表面に、外部からの光を受光する受光部２８ａが形成されている。
【００２９】
受光素子２８は、例えば、光透過性を有する透明体を透過する可視光や紫外光を受光するものである。例えば、受光素子２８は、カラーセンサ、イメージセンサ、照度センサなどに用いる半導体素子で構成される。
【００３０】
反射部は、反射鏡（鏡面）を形成するように、反射膜４０としてアルミニウムや銀といった金属等を成膜している。図２（ｂ）に示す通り、反射部の反射面の表面粗さが、凹部３ａの内面より表面粗さより小さい。これにより、反射面による光の散乱を抑制させ、効率的に入射光を受光素子の受光部へ受光することが可能となる。
【００３１】
また、凹部３ａ内面の表面粗さの平均が１μｍ以下程度のため、反射膜４０の厚みは、キャビティＣの凹部３ａ内面の表面粗さを最小限とするように１μｍ以上とする。この厚さ以上に形成することで凹部３ａ内面の表面粗さに依存せずに反射膜４０の反射面の表面粗さを小さくすることができる。すなわち、図２（ｂ）に示す通り、反射部４０の膜厚は、凹部３ａの凹凸の差より、厚く形成される。なお、凹部３ａの形成方法によって凹部３ａの表面粗さは変わってくるため、反射膜の厚さは必ずしも１μｍ以上である必要はなく、反射部の反射面の表面粗さが、凹部３ａの内面より表面粗さより小さくなればよい。この場合でも、反射面による光の散乱を抑制させ、効率的に入射光を受光素子の受光部へ受光することが可能となる。
【００３２】
さらに、図２においては、反射部は、ベース基板２の上面２ａの光出射部に対して傾斜する傾斜部を有し、傾斜部は、凹部３ａの開口端部に向かって広くなる方向に傾斜し、さらに凹部の開口端部から前記光センサに対向する位置まで傾斜する。また、図２においては、傾斜部は平面状に形成されている。
【００３３】
次に受光部２８ａへの光の受光について説明する。
ベース基板２の下面２ｂの入射部より入射した入射光Ｌ１は、ベース基板２を透過してベース基板２の上面２ａの光出射部から出射し、キャビティＣ内に侵入する。入射光Ｌ１は、反射部により反射され、反射光Ｌ３となる。反射光Ｌ３は、反射部の傾斜部により入射光Ｌ１に対して所定の角度を有して進行される。その後、反射光Ｌ３は、受光部２８ａへ受光される。
以上により、入射光Ｌ１は凹部によって散乱せずに反射され反射光Ｌ３となり、受光部２８ａへより効率的に導光することができる。
【００３４】
なお、反射部は、少なくとも一部にベース基板２の上面２ａの光出射部に対して傾斜する傾斜部を有し、傾斜部は、凹部３ａの開口端部に向かって広くなる方向に傾斜していればよい。この場合でも、反射光Ｌ３を受光部２８ａへより効率的に導光することができる。
【００３５】
また、図３および図４に光センサの別の一例を示す。図３および図４は、本発明の実施形態である光センサの一例の断面図である。
図３の光センサにおいて、反射部の傾斜は、凹部の開口端から底部まで２段階の傾斜角度で形成されている。図３においては、傾斜部は、多角形状に形成されている。これにより、入射光を受光部２８ａへ効率的に導光することに効果的であるため、反射光Ｌ３をより増加させることができる。なお、傾斜部は、２段階である必要はなく、複数段設けることでもよい。その場合でも、さまざまな角度の傾斜部が増えるため、反射光Ｌ３をより増加させることができる。
【００３６】
また、図４の光センサにおいて、反射部の傾斜部は、凹部の開口端から底部まで曲面で形成されている。図４においては、傾斜部は、扁球面状に形成されている。これにより、さまざまな角度の傾斜部が増えるため、反射光Ｌ３をより増加させることができる。なお、傾斜部は、少なくとも一部に曲面を有していればよい。その場合でも、さまざまな角度の傾斜部が増えるため、反射光Ｌ３をより増加させることができる。
【００３７】
また、傾斜部は必ずしも平面または曲面で構成される必要はなく、ベース基板２の上面２ａの光出射部に対して傾斜し、凹部３ａの開口端部に向かって広くなる方向に傾斜していればよい。
【００３８】
また、傾斜部は必ずしも必要なく、凹部３ａの側壁がベース基板２の上面の光出射部に対して垂直でもよい。光入射部に対してある角度を有して入射した入射光Ｌ１の場合、凹部３ａの側壁または底部に形成された反射部で反射される反射光Ｌ３は、反射部の傾斜部により入射光Ｌ１に対して所定の角度を有して進行される。この場合でも、受光部２８ａへ反射光Ｌ３を受光させることができる。
【００３９】
（光センサの製造方法）
次に、上述した光センサの製造方法について説明する。図５は、本実施形態に係る光センサの製造方法のフローチャートである。
【００４０】
図５に示すように、本実施形態に係る光センサの製造方法は、光センサ作成工程（Ｓ１０）と、リッド基板用ウエハ作製工程（Ｓ２０）と、ベース基板用ウエハ作製工程（Ｓ３０）と、を主に有している。なお、光センサ工程（Ｓ１０）、リッド基板用ウエハ作製工程（Ｓ２０）及びベース基板用ウエハ作製工程（Ｓ３０）は、並行して実施することが可能である。
初めに、光センサ作成工程を行って図２に示す受光素子２８を作製する（Ｓ１０）。シリコンウエハをフォトリソグラフィ技術により複数の受光素子２８を作製する。
【００４１】
（リッド基板用ウエハ作製工程）
リッド基板用ウエハ作製工程Ｓ２０では、後にリッド基板となるリッド基板用ウエハを作製する。まず、ソーダ石灰ガラスからなる円板状のリッド基板用ウエハを、所定の厚さまで研磨加工して洗浄した後に、エッチングなどにより最表面の加工変質層を除去する（Ｓ２１）。次いで、凹部形成工程Ｓ２２では、リッド基板用ウエハにおけるベース基板用ウエハとの接合面に、キャビティ用の凹部３ａを複数形成する。キャビティ用凹部Ｓの形成は、成形型を使用しての加熱プレス成型等のプレス加工によって行う。次に、接合面研磨工程Ｓ２３では、ベース基板用ウエハとの接合面を研磨する。
【００４２】
次に、接合膜形成工程Ｓ２４では、ベース基板用ウエハとの接合面に、図２に示す接合膜３５を形成する。なお、接合膜形成工程Ｓ２４の前に接合面研磨工程Ｓ２３を行っているので、接合膜３５の表面の平面度が確保され、ベース基板用ウエハとの安定した接合を実現することができる。
【００４３】
その後、反射膜形成工程Ｓ２５で、凹部３ａの内面に反射鏡となるように反射膜４０を形成する。このとき、反射膜４０を形成開始後、凹部３ａの内面の表面粗さを転写した状態で成膜されていく。しかし、反射膜４０の膜厚が厚くなるにつれて凹部３ａの内面の転写は小さくなっていく。これにより、反射膜４０の表面粗さが、凹部３ａの内面の表面粗さより小さくなる。この反射膜４０により反射部を形成する。この工程において、反射部は、凹部３ａの内面全面に形成されている。なお、反射部は、必ずしも凹部３ａの内面全面に形成される必要はなく、光を反射する部分にのみ形成されていてもよい。
【００４４】
また、反射膜４０のスパッタ等の成膜によっては、凹部３ａの底面から側面に向かって滑らかに傾斜させてもよい。この場合、反射膜４０において、光が反射する部分を滑らかな曲面で形成することも可能なため、受光素子の受光効率が向上する反射経路を形成することが可能になる。
【００４５】
なお、接合膜３５をアルミニウムにすることで、接合膜３５と凹部３ａの内面に形成する反射膜４０とを一括で一体形成することも可能である。すなわち、接合膜３５を形成するためのパターニングが不要になり、製造コストを低減することができる。また、接合膜３５の形成は、スパッタやＣＶＤ等の成膜方法によって行うことができる。なお、接合膜３５と反射膜４０との膜厚は同一でも異なっていてもよい。
【００４６】
また、反射膜４０の膜厚は、凹部３ａの側面から底面に向かって厚く形成される。この場合、凹部３ａの側面に形成された反射膜４０の表面粗さが、凹部３ａの内面の表面粗さより小さくなるまで反射膜４０をスパッタ等により成膜する。これにより、反射膜４０がスパッタ等で形成しやすくなる。
【００４７】
（ベース基板用ウエハ作製工程）
次に、リッド基板用ウエハ作製工程（Ｓ２０）と同時、または前後のタイミングで、後にベース基板２となるベース基板用ウエハを製作するベース基板用ウエハ作製工程を行う（Ｓ３０）。まず、ベース基板用ウエハを形成する。具体的には、ソーダ石灰ガラスを所定の厚さまで研磨加工して洗浄した後に、エッチング等により最表面の加工変質層を除去する（Ｓ３１）。
【００４８】
（貫通電極形成工程）
続いて、ベース基板用ウエハに貫通電極３２，３３を形成する貫通電極形成工程（Ｓ３０）を行う。
【００４９】
まず、ウエハを貫通電極形成用型の凹部に貫通電極用の金属体をセットした状態し、その上にベース基板用ウエハをセットした状態で加熱炉内に配置し、約９００℃程の高温状態で加圧型によりベース基板用ウエハの厚さ方向に沿って圧力をかける。すると、ベース基板用ウエハに貫通電極用の金属体が溶着させ一体化させる。その後、ベース基板用ウエハを徐々に温度を下げながら冷却する。
【００５０】
これにより、貫通電極形成用型の凹部形成位置と同じ位置に貫通電極が形成される。また、特にベース基板の厚みに支障がなければ、ベース基板用ウエハ作成工程Ｓ３１を省いても良い。
【００５１】
（研磨工程）
続いて、ベース基板用ウエハを研磨する（Ｓ３３）。具体的には、貫通電極の突出部分を研磨して除去するとともに、所望の厚みまで研磨を行う。これにより、ベース基板用ウエハの表面と貫通電極３２，３３の表面とが、略面一な状態となる。このようにして、ベース基板用ウエハに貫通電極３２，３３が形成される。なお、貫通電極の突出した部分は除去せずに、そのまま使用してもよい。
【００５２】
次に、ベース基板用ウエハの表面に導電性材料をパターニングして、内部電極形成工程を行う（Ｓ３４）。その後、受光素子２８をベース基板用ウエハ上に接着するために導電性樹脂などを塗布する。（Ｓ３５）このようにして、ベース基板用ウエハ作製工程（Ｓ３０）が終了する。
【００５３】
そして、上述した光センサ作成工程（Ｓ１０）で作製した複数の受光素子２８を、ベース基板用ウエハ上に形成された導電性樹脂と接着させ、さらに各内部電極３６，３７上に、それぞれ金ワイヤー１０，１１を介して実装する（Ｓ４０）。そして、上述した各基板用ウエハの作製工程で作成されたベース基板用ウエハ及びリッド基板用ウエハを図示しない基準マークなどを指標としながら、両ウエハ４０，５０を正しい位置にアライメントし、重ね合わせる（Ｓ５０）。これにより、実装された受光素子２８が、リッド基板用ウエハに形成された凹部とベース基板用ウエハとで囲まれるキャビティＣ内に収納された状態となる。
【００５４】
（接合工程以降）
両基板用ウエハの重ね合わせ工程Ｓ５０後、重ね合わせた２枚の各基板用ウエハを図示しない陽極接合装置に入れ、図示しない保持機構により各基板用ウエハの外周部分をクランプした状態で、所定の温度雰囲気で所定の電圧を印加して陽極接合する（Ｓ６０）。これにより、光センサをキャビティＣ内に封止することができ、ベース基板用ウエハとリッド基板用ウエハとが接合したウエハ接合体を得ることができる。
【００５５】
その後、ベース基板用ウエハの下面２ｂ側に、一対の貫通電極３２，３３にそれぞれ電気的に接続する一対の外部電極３８，３９を形成する（Ｓ７０）。そして、ウエハ接合体を所望の大きさに個片化する切断工程（Ｓ８０）を行い、内部の電気特性検査（Ｓ９０）を行うことで受光素子２８を収容した光センサ１が作成される。
なお、光センサ１は、ウエハレベルパッケージによって複数形成する方法を示したが、１つの光センサを形成する方法でもよい。
【００５６】
また、光センサ１の構造によっては、種々の形成工程を採用することができる。例えば、貫通電極ではなく、引き出し電極を形成する場合は、ベース基板用ウエハに引き出し電極をパターニングする。また、接合工程において、陽極接合でなく接着剤等を用いて接合してもよい。
なお、本発明に係る光センサは本実施形態に限定されず、種々の構成を採用することができる。
【００５７】
本実施形態において、ベース基板の全体がガラスで形成されるため、光透過部で構成されるが、これに限られず、ベース基板の一部が光透過部を構成してもよい。例えば、ベース基板のうち、光を透過する領域のみ光透過部で構成してもよい。この場合、少なくとも光を透過する部分をガラスなどの光透過部で構成し、ベース基板の他の部分をセラミック、樹脂、シリコン基板などの半導体基板等で構成する。例えば、ベース基板が、光透過部に対応する部分に光透過部形成孔を形成する半導体基板で構成される。また、ガラスで構成される光透過部が光透過部形成孔に埋設される。この際、光透過部は、光透過部形成孔に溶融するガラスを充填させ、このガラスを冷却させて形成される。また、光透過部は、ガラスの他に、光透過部形成孔に透明樹脂を充填させて形成されるものでもよい。
【００５８】
このように、ベース基板の光透過部と異なる部分を半導体基板で構成することにより、この半導体基板に受光素子以外の素子を形成することができる。例えば、ベース基板に、受光素子以外に、受光素子を駆動する駆動回路等を配置してもよい。これにより、キャビティの内部に複数の素子を設けることができる。従って、光センサと他の電子部品を一体化して形成することができるため、別々に形成する場合に比べ、全体として小型化が図れる。
【００５９】
また、ベース基板の素子形成部を半導体基板で構成することによって、素子形成部に直接受光素子を形成してもよい。これにより、キャビティの高さを低くすることができるため、光センサの低背化が図れる。
【符号の説明】
【００６０】
１…光センサ
２…ベース基板
３…リッド基板
３ａ…凹部
１０，１１…金ワイヤー
２４，２５…貫通孔
２８…受光素子
２８ａ  受光部
３２，３３…貫通電極
３５  接合膜
３６，３７…内部電極
３８，３９…外部電極
４０  反射膜
Ｃ…キャビティ
Ｌ１…入射光
Ｌ２…散乱光
Ｌ３…反射光
【図１】
2015173166.tif 000003
【図２】
2015173166.tif 000004
【図３】
2015173166.tif 000005
【図４】
2015173166.tif 000006
【図５】
2015173166.tif 000007
【図６】
2015173166.tif 000008